(57)【要約】【課題】  密閉容器内に溜る液体の初期の高さで動力伝達軸をスナップ移動させることができる液体圧送装置を提供する。【解決手段】  密閉容器４内にフロート１０が配置される。密閉容器４内に溜った液体の液面の高さに応じたフロート１０の浮力によりスナップ機構２５を動作させて動力伝達軸１１をスナップ移動させることにより給気弁体２２と排気弁体１９の開閉を切り換える。スナップ機構２５は動力伝達軸１１に固定された磁石２７と、磁石２７の上方に配置され上方への変位が禁止された上磁性体２８と、磁石２７の下方に配置され下方への変位が禁止された下磁性体３０と、上磁性体２８と下磁性体３０の間に配置された弾性部材３１と、上磁性体２８と下磁性体３０の間に配置され上磁性体２８の下方への所定以上の変位と下磁性体３０の上方への所定以上の変位を禁止する規制部材３２とからなる。【選択図】      図２
2005325777.tif 000002
【特許請求の範囲】
【請求項１】
作動流体導入口と作動流体排出口と液体流入口及び液体排出口が設けられた密閉容器内にフロートが配置され、密閉容器内に溜った液体の液面の高さに応じたフロートの浮力によりスナップ機構を動作させて動力伝達軸をスナップ移動させることにより作動流体導入口の給気弁口を開閉する給気弁体と作動流体排出口の排気弁口を開閉する排気弁体の開閉を切り換えて、初めに排気弁口を開き給気弁口を閉じて液体流入口から液体を流入させ、次いで排気弁口を閉じ給気弁口を開いて密閉容器内に溜った液体を液体排出口から圧送する液体圧送装置において、スナップ機構は動力伝達軸に固定された磁石と、磁石の上方に配置され上方への変位が禁止された上磁性体と、磁石の下方に配置され下方への変位が禁止された下磁性体と、上磁性体と下磁性体の間に配置された弾性部材と、上磁性体と下磁性体の間に配置され上磁性体の下方への所定以上の変位と下磁性体の上方への所定以上の変位を禁止する規制部材とからなることを特徴とする液体圧送装置。
【発明の詳細な説明】
【技術分野】
【０００１】
本発明は、温水や燃料等の液体を圧送する液体圧送装置に関するものである。本発明の液体圧送装置は、各種蒸気使用装置で発生した復水をボイラーや廃熱利用箇所に送る装置として特に適するものである。
【背景技術】
【０００２】
従来の液体圧送装置は、作動流体導入口と作動流体排出口と液体流入口及び液体排出口が設けられた密閉容器内にフロートが配置され、密閉容器内に溜った液体の液面の高さに応じたフロートの浮力によりスナップ機構を動作させて動力伝達軸をスナップ移動させることにより作動流体導入口の給気弁口を開閉する給気弁体と作動流体排出口の排気弁口を開閉する排気弁体の開閉を切り換えて、初めに排気弁口を開き給気弁口を閉じて液体流入口から液体を流入させ、次いで排気弁口を閉じ給気弁口を開いて密閉容器内に溜った液体を液体排出口から圧送する液体圧送装置において、スナップ機構は動力伝達軸の軸方向に設けられた２つの溝と、弾性部材によって付勢され動力伝達軸の一方の溝内に係入された係止部材と、動力伝達軸の移動によって係止部材の係入を解除させるために係止部材と溝の少なくとも一方に設けた傾斜部とからなるものである。
【０００３】
上記従来の液体圧送装置は、係止部材が傾斜部を摺動するものであるので、摺動抵抗が磨耗や異物の噛み込み等によって増大すると、密閉容器内に溜る液体の初期の高さで動力伝達軸をスナップ移動させることができなくなる問題点があった。動力伝達軸がスナップ移動できないと、給気弁体と排気弁体の開閉を切り換えることができできなくなり、液体を圧送できなくなる。
【特許文献１】特開平１１−２３６９９７
【発明の開示】
【発明が解決しようとする課題】
【０００４】
解決しようとする課題は、密閉容器内に溜る液体の初期の高さで動力伝達軸をスナップ移動させることができる液体圧送装置を提供することである。
【課題を解決するための手段】
【０００５】
本発明は、作動流体導入口と作動流体排出口と液体流入口及び液体排出口が設けられた密閉容器内にフロートが配置され、密閉容器内に溜った液体の液面の高さに応じたフロートの浮力によりスナップ機構を動作させて動力伝達軸をスナップ移動させることにより作動流体導入口の給気弁口を開閉する給気弁体と作動流体排出口の排気弁口を開閉する排気弁体の開閉を切り換えて、初めに排気弁口を開き給気弁口を閉じて液体流入口から液体を流入させ、次いで排気弁口を閉じ給気弁口を開いて密閉容器内に溜った液体を液体排出口から圧送する液体圧送装置において、スナップ機構は動力伝達軸に固定された磁石と、磁石の上方に配置され上方への変位が禁止された上磁性体と、磁石の下方に配置され下方への変位が禁止された下磁性体と、上磁性体と下磁性体の間に配置された弾性部材と、上磁性体と下磁性体の間に配置され上磁性体の下方への所定以上の変位と下磁性体の上方への所定以上の変位を禁止する規制部材とからなることを特徴とする。
【発明の効果】
【０００６】
本発明は、密閉容器内に溜る液体の初期の高さで動力伝達軸をスナップ移動させることができるので、給気弁体と排気弁体の開閉を切り換えて液体を確実に圧送できるという優れた効果を生じる。
【発明を実施するための最良の形態】
【０００７】
本発明の液体圧送装置は、密閉容器内の液位が上昇するとフロートが浮上して動力伝達軸を上方に変位させる。このとき、磁石と下磁性体との磁気結合力により、動力伝達軸の上方への変位に伴って弾性部材を圧縮変形せしめながら、下磁性体と規制部材が上方に変位し、規制部材の上端が上磁性体に当接し、更にフロートの浮力が増加した後、弾性部材が急激に変形を回復して下磁性体を下方に変位せしめて磁石と下磁性体との磁気結合力を弱めると共に、磁石と上磁性体の磁気結合力により、動力伝達軸が上方にスナップ移動する。また、密閉容器内の液位が低下するとフロートが降下して動力伝達軸を下方に変位させる。このとき、磁石と上磁性体との磁気結合力により、動力伝達軸の下方への変位に伴って弾性部材を圧縮変形せしめながら、上磁性体が下方に変位し、上磁性体の下端が規制部材の上端に当接し、更にフロートの浮力が減少した後、弾性部材が急激に変形を回復して上磁性体を上方に変位せしめて磁石と上磁性体との磁気結合力を弱めると共に、磁石と下磁性体の磁気結合力により、動力伝達軸が下方にスナップ移動する。このように、磁石と磁性体との磁気結合力により動力伝達軸をスナップ移動させるので、スナップ機構部で摺動抵抗が増大することがない。そのため、密閉容器内に溜る液体の初期の高さで動力伝達軸をスナップ移動させることができる。また、動力伝達軸をスナップ移動させるときに弾性部材の変形回復力を付加することにより、スナップ移動の際の力を大きくすることができる。
【実施例１】
【０００８】
上記の技術的手段の具体例を示す実施例を説明する。図１は本発明の実施例の液体圧送装置の断面図、図２は図１のスナップ機構部分の拡大断面図、図３は図１の給気弁体部分と排気弁体部分の拡大断面図である。本実施例の液体圧送装置１は、図示しないネジによって結合される本体２と蓋３で密閉容器４が構成される。蓋３に作動流体排出口５と液体流入口６と液体排出口７が形成され、図示しないネジによって蓋３に結合される弁ケース８に作動流体導入口９が形成される。
【０００９】
密閉容器４内にフロート１０と動力伝達軸１１が配置される。動力伝達軸１１の上端は蓋３から上方に突出し、図示しないネジによって蓋３に結合されるキャップ１２内に位置する。フロート１０はフロートアーム１３と揺動軸１４を介してブラケット１５によって支持される。ブラケット１５は手前側と向こう側の２枚の板よりなり、それぞれ図示しないネジによって蓋３に結合され、揺動軸１４が掛け渡される。フロートアーム１３は板をＵ字状に曲げ加工して作られたもので、２枚の板が平行に対向し、左端にフロート１０が結合されている。フロートアーム１３には孔１６が設けられ、孔１６内に孔１６よりも小径の軸１７が掛け渡され、軸１７に動力伝達軸１１の下端が連結されている。フロート３は揺動軸１４を中心として上下に揺動し、所定量揺動した後に動力伝達軸１１が上下に変位する。
【００１０】
動力伝達軸１１のほぼ中間に連設板１８が連結され、連設板１８に排気弁体１９が連結される。排気弁体１９はほぼ円柱状で上端に小径の操作棒が一体に形成されている。排気弁体１９の円柱部のほぼ上半分は弁ケース８内に位置する。弁ケース８には上部に作動流体導入口９の給気弁口２０が形成され、給気弁口２０の下方の側方に作動流体排出口５の排気弁口２１が形成される。排気弁口２１は排気弁体１９の側面で開閉される。給気弁口２０の作動流体導入口９側に給気弁口２０を開閉する球状の給気弁体２２が配置され、給気弁体２２は排気弁体１９の操作棒で開弁操作される。給気弁口２０の下方の密閉容器４内方側に給気弁口２０からの作動流体によって排気弁体１９が下方に押し戻されることを抑制する障壁部材２３がスナップリング２４で固定される。障壁部材２３は小判状で、給気弁口２０からの作動流体を密閉容器４内方側に流下させる流路が手前側と向こう側に形成され、排気弁体１９の操作棒が貫通する中心孔が中心に設けられる。
【００１１】
キャップ１２内にスナップ機構２５が配置される。スナップ機構２５は動力伝達軸１１の上部にスナップリング２６で固定されたリング状の磁石２７と、磁石２７の上方に配置され、キャップ１２の段部で上方への変位が禁止されたリング状の上磁性体２８と、磁石２６の下方に配置され、キャップ１２に固定されたスナップリング２９で下方への変位が禁止されたリング状の下磁性体３０と、上磁性体２８と下磁性体３０の間に配置されたコイルバネからなる弾性部材３１と、上磁性体２８と下磁性体３０の間に配置され上磁性体２８の下方への所定以上の変位と下磁性体３０の上方への所定以上の変位を禁止するリング状の規制部材３２とからなる。
【００１２】
次に本実施例の液体圧送装置１の作用について、作動流体として蒸気を用いた場合の一連の動作手順を追うことによって説明する。液体圧送装置１の外部配管は作動流体導入口９が高圧の蒸気源に接続され、作動流体排出口５が液体発生源側に接続され、液体流入口６が外部から密閉容器４へ向かって開く図示しない流入側逆止弁を介して液体発生源に接続され、液体排出口７が密閉容器４から外部に向かって開く図示しない排出側逆止弁を介して液体圧送先に接続される。
【００１３】
密閉容器４内の液位が低い状態において、フロート１０は底部に位置し、動力伝達軸１１は下方に変位している。このとき、給気弁体２２は給気弁口２０を閉じ、排気弁体１９は排気弁口２１を開いている。液体発生源側の液体が液体流入口６から密閉容器４内に流下して溜る。密閉容器４内に溜る液体によってフロート１０が浮上すると、フロートアーム１３が揺動軸１４を中心に時計回り方向に回転し、孔１６の下端が軸１７に当接した後、動力伝達軸１１を上方に変位させる。このとき、磁石２７と下磁性体３０との磁気結合力により、動力伝達軸１１の上方への変位に伴って弾性部材３１を圧縮変形せしめながら、下磁性体３０と規制部材３２が上方に変位し、規制部材３２の上端が上磁性体２８の下端に当接し、更にフロート１０の浮力が増加した後、弾性部材３１が急激に変形を回復して下磁性体３０を下方に変位せしめて磁石２７と下磁性体３０との磁気結合力を弱めると共に、磁石２７と上磁性体２８との磁気結合力により、動力伝達軸１１が上方にスナップ移動する。この動力伝達軸１１のスナップ移動に伴って、動力伝達軸１１に連接板１８を介して連結された排気弁体１９が上方にスナップ移動して排気弁口２１が閉じられ、排気弁体１９の上方へのスナップ移動の過程で、排気弁体１９の操作棒で給気弁体２２が上方にスナップ移動して給気弁口２０が開けられる。
【００１４】
排気弁口２１が閉じられ、給気弁口２０が開けられると、作動流体導入口９から密閉容器４内に高圧蒸気が導入され、密閉容器４内の圧力が上昇し、密閉容器４内に溜った液体が蒸気圧に押されて液体排出口７から液体圧送先に圧送される。
【００１５】
液体の排出によって密閉容器４内の液位が低下すると、フロート１０が降下して、フロートアーム１３が揺動軸１４を中心に反時計回り方向に回転し、孔１６の上端が軸１７に当接した後、動力伝達軸１１を下方に変位させる。このとき、磁石２７と上磁性体２８との磁気結合力により、動力伝達軸１１の下方への変位に伴って弾性部材３１を圧縮変形せしめながら、上磁性体２８が下方に変位し、上磁性体２８の下端が規制部材３２の上端に当接し、更にフロート１０の浮力が減少した後、弾性部材３１が急激に変形を回復して上磁性体２８を上方に変位せしめて磁石２７と上磁性体２８との磁気結合力を弱めると共に、磁石２７と下磁性体３０の磁気結合力により、動力伝達軸１１が下方にスナップ移動する。この動力伝達軸１１のスナップ移動に伴って、動力伝達軸１１に連接板１８を介して連結された排気弁体１９が下方にスナップ移動して排気弁口２１が開けられ、排気弁体１９の下方へのスナップ移動の過程で、給気弁体２２が下方にスナップ移動して給気弁口２０が閉じられる。
【図面の簡単な説明】
【００１６】
【図１】本発明の実施例の液体圧送装置の断面図。
【図２】図１のスナップ機構部分の拡大断面図。
【図３】図１の給気弁体部分と排気弁体部分の拡大断面図。
【符号の説明】
【００１７】
１  液体圧送装置
２  本体
３  蓋
４  密閉容器
５  作動流体排出口
６  液体流入口
７  液体排出口
８  弁ケース
９  作動流体導入口
１０  フロート
１１  動力伝達軸
１２  キャップ
１３  フロートアーム
１４  揺動軸
１８  連接板
１９  排気弁体
２０  給気弁口
２１  排気弁口
２２  排気弁体
２３  障壁部材
２５  スナップ機構
２７  磁石
２８  上磁性体
３０  下磁性体
３１  弾性部材
３２  規制部材
【図１】
2005325777.tif 000003
【図２】
2005325777.tif 000004
【図３】
2005325777.tif 000005